(57)【要約】      （修正有）【課題】キズや穴を残すことなく設置することが可能な手すりを提供する。【解決手段】手すり５を構成する手すり体と、手すり体の両端を固定する固定部材とを備え、固定部材の両端が、天井、床、壁の少なくともいずれかへの圧力をかけることによって手すり体を固定する。【選択図】図２
2012215068.tif 000002
【特許請求の範囲】
【請求項１】
手すりを構成する手すり体と、
当該手すり体の両端を固定する固定部材とを備え、
前記固定部材の両端が、天井、床、壁の少なくともいずれかへの圧力をかけることによって前記手すり体が固定される
ことを特徴とする手すり。
【請求項２】
前記固定部材の少なくともいずれかの、一端または両端に、圧力を分散させる手段を設ける
ことを特徴とする請求項１に記載の手すり。
【請求項３】
前記圧力を分散させる手段は、
樹脂からなる部分を含む
ことを特徴とする請求項２に記載の手すり。
【請求項４】
前記圧力を分散させる手段は、パッドを含み、圧力を与える部材の断面積の５０倍以上の面積で圧力を分散させる
ことを特徴とする請求項２又は３に記載の手すり。
【請求項５】
手すりを構成する手すり体と、
当該手すり体の両端を固定する固定部材とを備え、
前記固定部材の両端で、天井、床、壁の少なくともいずれかへの圧力をかけることによって前記手すり体を固定する
ことを特徴とする手すりの設置方法。
【発明の詳細な説明】
【技術分野】
【０００１】
本発明は、手すり、手すりユニット、及び手すりの設置方法に関し、特に組立式連結手すりに関する。
【背景技術】
【０００２】
住宅用手すりとして、ビスで壁、床等に取り付けるものがある。例えば、特許文献１には、ビスで手すり用のブラケットを床の框に取り付けた玄関ホール昇降手摺が開示されている。
【先行技術文献】
【特許文献】
【０００３】
【特許文献１】実用新案登録第３１７０９８８号公報
【発明の概要】
【発明が解決しようとする課題】
【０００４】
賃貸住宅など、壁、床等にキズをつけること、穴を開けることなどが、利用者の不利益に繋がることがある。
【０００５】
本発明は、係る問題点に鑑みてなされたものであって、キズや穴を残すことなく設置することが可能な手すりを提供することを目的としている。
【課題を解決するための手段】
【０００６】
上記の問題点を解決するために、本発明に係る手すりは、手すりを構成する手すり体と、当該手すり体の両端を固定する固定部材とを備え、前記固定部材の両端が、天井、床、壁の少なくともいずれかへの圧力をかけることによって前記手すり体が固定されることを特徴としている。
【０００７】
本発明によると、固定部材の両端が、圧力によって固定されるので、壁、床等にキズをつけること、穴を開けることなどの防止を図ることが可能となる。なお、手すり体は、棒状に限定されない。
【０００８】
前記固定部材の少なくともいずれかの、一端または両端に、圧力を分散させる手段を設けると、キズなどの防止に便宜である。
【０００９】
前記圧力を分散させる手段は、樹脂を含む構成とすれば、キズなどの防止にさらに便宜である。
【００１０】
前記圧力を分散させる手段は、パッドを含み、圧力を与える部材の断面積の５０倍以上の面積で圧力を分散させることが好ましい。
【００１１】
本発明に係る手すりの設置方法は、手すりを構成する手すり体と、当該手すり体の両端を固定する固定部材とを備え、前記固定部材の両端で、天井、床、壁の少なくともいずれかへの圧力をかけることによって前記手すり体を固定することを特徴としている。
【発明の効果】
【００１２】
本発明に係る手すり等によると、壁や床などにキズ、穴などを残すことなく設置することが可能になる、という効果がある。
【図面の簡単な説明】
【００１３】
【図１】本実施の形態の手すりについて説明するための図であり、手すり連結フレームの構成について説明するための斜視図である。
【図２】手すり５の取り付けについて説明するための斜視図である。
【図３】手すり５の追加、延長について説明するための斜視図である。
【図４】対面柱連結部材７の取り付けを表す図面である。
【図５】手すり連結フレームを床の固定部材１１を表し、図１から図４のＸ方向から見た図である。
【図６】手すり連結フレーム１の床への固定方法を表す図であり、図１〜図４のＹ方向から見た図（図５のＡ−Ａ線矢視断面図）である。
【図７】手すり連結フレームと床の固定部材１１を用いて手すり連結フレーム１を床に固定した状態を表す図であり、図１から図４、図６のＹ方向から見た図である。
【図８】手すり５の手すり連結フレーム１への取り付け方法を表し、図２から図４のＹ方向から見た図である。
【図９】手すり５の手すり連結フレーム１への締結方法を表す図であり、図８の矢印Ａ方向から見た矢視断面図である。
【図１０】柱連結部材３の２本の柱２への締結方法を表し、図１から図４のＸ方向から見た図である。
【図１１】対面柱連結部材７の２本の柱２への締結方法を表す図であり、図４のＹ方向から見た状態を表す図である。
【図１２】固定パット２１の柱連結部材３への締結方法を表す図であり、図１から図４のＸ方向から見た図である。
【図１３】固定パット２１の天井方向の接続部材２５への連結方法を表す図であり、図１から図４のＸ方向から見た図である。
【発明を実施するための形態】
【００１４】
以下、本発明の実施の形態について、図面を参照しながら説明する。図１は本実施の形態の手すりについて説明するための図であり、手すり連結フレームの構成について説明するための斜視図である。
【００１５】
手すり連結フレーム１は、一対の柱２を柱連結部材３及び柱連結部材取り付け部４で固定して構成される。図１の例では、柱２は、断面形状が略真円または、略楕円の筒形状のポールを用いたが、これらに限定されず、断面形状が略正方形または略長方形の角材等でも構わない。また、両端が閉口された中空の内部形状でも構わない。
【００１６】
一対の柱２を略並行にして柱連結部材３で連結する。柱連結部材３は、本実施の形態では、図１に示すような断面形状が略真円または、略楕円の筒形状のポールであるが、これらに限定されず、断面形状が略正方形または略長方形の角材等でも構わない。
【００１７】
柱２は、柱連結部材３を固定するための柱連結部材取り付け部４を、端近傍に、かつ後述する手すり５を取り付ける手すり取り付け部６を備える。手すり取り付け部５の位置は任意であるが、手すりとして機能する位置に設置する。
【００１８】
そして、柱連結部材３を一対の柱２の柱連結部材取り付け部４に取り付け（図１のＹ方向）、手すり連結フレーム１を構成する。構成した手すり連結フレーム１を、柱連結部材取り付け部４が、略天井方向を向くように、図１には不図示の床に略垂直に設置する。手すり連結フレーム１を床との間の角度は略垂直に限定はされないが、手すりとしての安全性を確保する必要がある。
【００１９】
図２は、手すり５の取り付けについて説明するための斜視図である。一対の手すり連結フレーム１同士が対面するように（図２のＸ方向）、図２には不図示の床に略垂直に設置する。手すり５は、図２に示される例では、断面形状が略真円または、略楕円の筒形状のポールであるが、これらに限定されず、手すりとして機能すればよい。また、両端が閉口された中空の内部形状でも構わない。手すり５を、手すり取り付け部６と対向する柱２の手すり取り付け部６に取り付ける（図２のＸ方向）。なお、てすり５としては、金属を用いるより、木材、樹脂など、冬場でも人の手に温かい材料を用いることは、実用的効果が大きく好ましいことである。
【００２０】
図３は、手すり５の追加、延長について説明するための斜視図である。一対の手すり連結フレーム１同士が対向するように（図３のＸ方向）、同図３には不図示の床に略垂直に設置し、手すり５を手すり取り付け部６と対向する柱２の手すり取り付け部６に取り付ける（図３のＸ方向）。このようにして、手すり５を追加、延長することが可能になる。
【００２１】
なお、延長方向は、図３のＸ方向の一方向に限定されず、手すり取り付け部６への手すり５の取り付け方向を調整することにより、任意の方向に手すり５を延長することもできる。
【００２２】
図４は、対面柱連結部材７の取り付けを表す図面である。対面柱連結部材７は、手すり連結フレーム１同士の連結を強め、手すり５を安定させるために設ける。対面柱連結部材７は、図４に示される例では、断面形状が略真円または、略楕円の筒形状のポールであるが、これらに限定されず、断面形状が略正方形または略長方形の角材等でも構わない。また、両端が閉口された中空の内部形状でも構わない。
【００２３】
柱２は、対面柱連結部材７を取り付けるための対面柱連結部材取り付け部８を、柱連結部材取り付け部４の周辺に、柱連結部材３と略直交する方向（図４のＸ方向）に備えている。対面柱連結部材７を、図４のＸ方向に向かい合う２本の柱２の対面柱連結部材取り付け部８に取り付けて（図４のＸ方向）、手すり連結フレーム１同士の連結を強める。これにより手すり５を安定させることができる。
【００２４】
図５は、手すり連結フレームを床の固定部材１１を表し、図１から図５のＸ方向から見た図である。手すり連結フレームと床の固定部材１１は、図６に示すような板形状が好ましいが、これに限定されない。図６に例示する中央部に向かって山型の部材とすれば、締結時に固定部材１１がしなることを防止でき、好ましい。中央部をすり連結フレームと床の固定部材１１は、凸部１２を２本の柱２のそれぞれの前記切欠部または溝に係合するように二つ備えている。
【００２５】
本実施の形態では、柱２に係合する凸部１２を有した、手すり連結フレームと床との固定部材１１を設ける。凸部１２は後述する締結部材（Ａ）１３により柱２と締結するために、天井方向（図５のＺ軸方向上部）の水平方向（図５のＸ方向）に隙間１０を設ける。柱２は、端が開口されている場合は外周に凸部１２に係合する切欠部を２箇所、端が開口されていない場合は凸部１２に係合する隙間１０を設け、柱連結部材取り付け部４を有しない端の近傍内部手すり連結フレームと床の固定部材１１を締結する隙間１０を含む固定部材取り付け部９を設ける。固定部材取り付け部９の柱２への固定は、溶接、接着等が好ましいが、これらに限定されるものではなく柱２の内部をくりぬいて成型しても構わない。
【００２６】
図７は、手すり連結フレームと床の固定部材１１を用いて手すり連結フレーム１を床に固定した状態を表す図であり、図１から図５のＹ方向から見た図である。手すり連結フレームと床の固定部材１１の凸部１２の、固定部材取り付け部９の締結部への締結を、締結部材（Ａ）１３を用いて行う。締結部材（Ａ）としては、例えばネジを用いることができるが、これに限定されることはなく、例えばビスなど、締結できる機能があれば良い。締結部材（Ａ）１３は、図７では、柱２に１個用いているが、これに限定されることはない。以上のように手すり連結フレーム１が図７には不図示の床に固定される。これにより、手すり５をさらに安定させることができる。
【００２７】
また、図５から図７には不図示であるが、さらに手すり５を安定させるためには、手すり連結フレームを床の固定部材１１の床と接する面の材質に滑りにくいものを使用する。または滑りにくい構造のものを付加することもできる。
【００２８】
図８は、手すり５の手すり連結フレーム１への取り付け方法を表し、図２から図４のＹ方向から見た図である。手すり５は手すり本体１４、柱との接続部材１５および締結部材（Ｂ）１６から構成する。手すり本体１４は、図８に示すような、断面形状が略真円または、略楕円の筒形状のポールであるが、これらに限定されることはない。
【００２９】
柱との接続部材１５の径は手すり本体１４よりも大きくし、両端が開口された中空の内部形状とする。締結部材（Ｂ）１６は、手すり本体１４と柱との接続部材１５を締結するために設ける。たとえばネジがあるが、これに限定されることはなく、締結できる機能があればよい。締結部材（Ｃ）１７は、柱との接続部材１５と柱２の手すり取り付け部６を締結するために設ける。たとえばネジがあるが、これに限定されることはなく、締結できる機能があればよい。
【００３０】
図９は、手すり５の手すり連結フレーム１への締結方法を表す図であり、図８の矢印Ａ方向から見た矢視断面図である。柱との接続部材１５の柱２の手すり取り付け部６への締結を、柱連結部材３と直交する方向（図８、図９のＸ方向）の手すり本体１４側から締結部材（Ｃ）１７を用いて行う。締結部材（Ｂ）１６は、図８、図９では天井および床方向（図８のＺ方向）から用いているが、数および方向はこれらに限定されない。また、締結部材（Ｃ）１７は、図８、図９では１個用いているが、これに限定されない。
【００３１】
図１０は、柱連結部材３の２本の柱２への締結方法を表し、図１から図４のＸ方向から見た図である。柱２の柱連結部材取り付け部４は、柱連結部材３が貫通できる形状とする。柱連結部材３の柱２の柱連結部材取り付け部４への締結を、締結部材（Ｄ）１８を用いて行う。
【００３２】
締結部材（Ｄ）１８としては、たとえばネジを用いることができるが、これに限定されず、締結できる機能があれば良い。柱連結部材３の柱２の柱連結部材取り付け部４への締結を、柱連結部材と直交する方向（図１から図４のＸ方向）から締結部材（Ｄ）１８を用いて行う。締結部材（Ｄ）１８は、図１０の例では、１本の柱２に１個ずつ用いているが、これに限定されない。
【００３３】
図１１は、対面柱連結部材７の２本の柱２への締結方法を表す図であり、図４のＹ方向から見た状態を表す図である。対面柱連結部材７を柱２に取り付けるために柱との接続部材１９を設ける。柱２の対面柱連結部材取り付け部８は、柱との接続部材１９が貫通できる形状とし、柱との接続部材１９が固定される構造（図１１には不図示）とする。
【００３４】
柱との接続部材１９は、図１１に示されるような、断面形状が略真円または、略楕円の筒形状のポールとすることができるが、これらに限定されることはない。ただし両端が開口された中空の内部形状とする。図１１の例では、断面の大きさを対面柱連結部材７に含まれるものとしているが、対面柱連結部材７が含まれる構成とすることもできる。また、図１１に例示される如く、方向によりネジ穴の垂直方向の位置を変化させると、ネジ止めに便宜である。
【００３５】
対面柱連結部材７の柱との接続部材１９への締結を、締結部材（Ｅ）２０を用いて行う。締結部材（Ｅ）２０としては、たとえばネジを用いることができるが、これに限定されることはなく、締結できる機能があれば良い。締結部材（Ｅ）２０は、図１１では１個を天井または床方向（図１１のＺ方向）から用いているが、数および方向はこれらに限定されない。
【００３６】
図１２は、固定パット２１の柱連結部材３への締結方法を表す図であり、図１から図４のＸ方向から見た図である。固定パット２１は、パット２２及び接続部材２３から構成する。パット２２は、壁等（図１２には不図示）に接し、図１２に示すような板形状が好ましいが、これに限定されない。
【００３７】
接続部材２３は、パット２２の壁等に接していない面に略垂直（図１２のＹ方向）に取り付ける。接続部材２３は、図１２に示されるように断面形状が略真円または、略楕円の筒形状のポールであるが、これらに限定されない。ただし片端が開口された中空の内部形状とする。
【００３８】
図１２の例では、断面の大きさを柱連結部材３が含まれるものとしているが、柱連結部材３に含まれるものとしてもよい。柱連結部材３の固定パット２１への締結を、締結部材２４を用いて行う。締結部材（Ｆ）２４としては、例えばネジを用いることができるが、これに限定されず、締結できる機能があれば良い。締結部材（Ｆ）２４は、図１２の例では、１個を天井または床方向（図１２のＺ方向）から用いているが、数および方向はこれらに限定されることはない。これにより柱連結部材３がさらに安定し、手すり５を、さらに安定させることができる。
【００３９】
また、図１２には示していないが、さらに手すり５を安定させるためには、パット２２の壁等と接する面の材質に滑りにくいものを使用する。より具体的には樹脂をパット２２に貼り付けるような実施形態があるが、これに限定されず、滑りにくい構造のものを付加するような形態も可能である。また、図１２に例示されるように、固定するための部材を取り付ける部分を、その方向により垂直方向の高さを変化させるようにすれば、ネジ止めに便宜である。さらに、ネジの先端に樹脂などの弾性を有する部分を設けると（図１３（ｂ）参照））より、ネジ止めに便宜である。ネジ全体を樹脂製とすることもできる。
【００４０】
図１３（ａ）は、固定パット２１の天井方向の接続部材２５への連結方法を表す図であり、図１から図４のＸ方向から見た図である。柱２の天井方向（図１３（ａ）のＺ方向上部）の端に、柱２を天井（図１３には不図示）に接した固定パット２１に取り付けるため、天井方向の接続部材２５を設ける。天井方向の接続部材２５の形状は、図１３（ｂ）に示されるように、ネジを設けることができる。天井方向の接続部材２５の形状は、図１３に示されるように接続部材２３は、パット２２の壁等に接していない面に略垂直（図１２のＹ方向）に取り付ける。接続部材２３は、図１３に示されるように断面形状が略真円または、略楕円の筒形状のポールであるが、これらに限定されない。ただし片端が開口された中空の内部形状とする。
【００４１】
図１３の例では、天井方向の接続部材２５の固定パット２１の接続部材２３と締結する部位の断面の大きさを、接続結部材２３に含まれるものとしているが、接続部材２３が含まれるものとしてもよい。天井方向の接続部材２５の接続部材２３への締結を、締結部材（Ｇ）２６を用いて行う。締結部材（Ｇ）２６としては、例えばネジを用いることができるが、これに限定されず、締結できる機能があれば良い。締結部材（Ｇ）２６は、図１３の例では、１個を図１から図４のＸ方向から用いているが、数および方向はこれらに限定されることはない。これにより柱２がさらに安定し、手すり５を、さらに安定させることができる。
【００４２】
また、図１３には示していないが、さらに手すり５を安定させるためには、パット２２の壁等と接する面の材質に滑りにくいものを使用する。または、滑りにくい構造のものを付加するような形態も可能である。
【００４３】
以上に説明したように、本実施の形態の手すりにおいては、柱連結部材の間に手すりを設置しており、設置場所の床や壁、天井などに穴を開ける必要がなく、キズを付けることもない。また、上記の実施の形態では、パットを用いているが、パットは四角に限定されず、円形、楕円形などでも良い。柱などからの圧力を分散させる機能を付与すれば、よりキズが防止でき好適である。
【産業上の利用可能性】
【００４４】
本発明は、例えば、手すりに適用することができる。
【符号の説明】
【００４５】
１            手すり連結フレーム
２            柱
３            柱連結部材
４            柱連結部材取り付け部
５            手すり
６            手すり取り付け部
７            対面柱連結部材
８            対面柱連結部材取り付け部
９            固定部材取り付け部
１０            隙間
１１            手すり連結フレームと床の固定部材
１２            凸部
１３            締結部材（Ａ）
１４            手すり本体
１５            柱との接続部材
１６            締結部材（Ｂ）
１７            締結部材（Ｃ）
１８            締結部材（Ｄ）
１９            柱との接続部材
２０            締結部材（Ｅ）
２１            固定パット
２２            パット
２３            接続部材
２４            締結部材（Ｆ）
２５            天井方向の接続部材
２６            締結部材（Ｇ）
【図１】
2012215068.tif 000003
【図２】
2012215068.tif 000004
【図３】
2012215068.tif 000005
【図４】
2012215068.tif 000006
【図５】
2012215068.tif 000007
【図６】
2012215068.tif 000008
【図７】
2012215068.tif 000009
【図８】
2012215068.tif 000010
【図９】
2012215068.tif 000011
【図１０】
2012215068.tif 000012
【図１１】
2012215068.tif 000013
【図１２】
2012215068.tif 000014
【図１３】
2012215068.tif 000015